(57)【要約】【課題】均一な映像を表示するようにしたデータ駆動回路を提供する。【解決手段】データを保存するために複数のホルディングラッチを備えるホルディングラッチ部６０３と、データの供給を受けてデータ信号を生成するための複数のデジタル−アナログ変換部を備える信号生成部６０５と、ホルディングラッチ部６０３と信号生成部６０５との間に設置される第１スイッチング部６０４と、信号生成部６０５に接続されてデータ信号をデータ線に伝達するための第２スイッチング部６０６と、を具備し、第１スイッチング部６０４は、現フレームの間、それぞれのホルディングラッチとそれぞれのデジタル−アナログ変換部とを直前フレームと異なるように接続させる。【選択図】図３
2007122012.tif 000002
【特許請求の範囲】
【請求項１】
データを保存するために複数のホルディングラッチを備えるホルディングラッチ部と、
前記データの供給を受けてデータ信号を生成するための複数のデジタル−アナログ変換部を備える信号生成部と、
前記ホルディングラッチ部と前記信号生成部との間に設置される第１スイッチング部と、
前記信号生成部に接続されて前記データ信号をデータ線に伝達するための第２スイッチング部と、を具備し、
前記第１スイッチング部は、現フレームの間、前記それぞれのホルディングラッチと前記それぞれのデジタル−アナログ変換部とを直前フレームと異なるように接続させることを特徴とするデータ駆動回路。
【請求項２】
前記信号生成部は、前記ホルディングラッチよりも少なくとも一つ多い前記デジタル−アナログ変換部を備えることを特徴とする請求項１に記載のデータ駆動回路。
【請求項３】
前記第１スイッチング部は、直前フレームの間、前記データを第１方向にシフトさせ、
前記現フレームの間、前記データをシフトさせないことを特徴とする請求項１に記載のデータ駆動回路。
【請求項４】
前記信号生成部は、前記ホルディングラッチと同数の前記デジタル−アナログ変換部を備えることを特徴とする請求項１に記載のデータ駆動回路。
【請求項５】
前記第１スイッチング部は、直前フレームの間、前記データのうち一部のデータを第１方向にシフトさせ、残りのデータを前記第１方向とは逆の第２方向にシフトさせ、
前記現フレームの間、前記データをシフトさせないことを特徴とする請求項４に記載のデータ駆動回路。
【請求項６】
前記第２スイッチング部は、ｉ（ｉは自然数）番目ホルディングラッチに保存されたデータによって生成されたデータ信号をｉ番目データ線に伝達することを特徴とする請求項１に記載のデータ駆動回路。
【請求項７】
前記デジタル−アナログ変換部は、前記データに対応して所定電圧のデータ信号を生成することを特徴とする請求項１に記載のデータ駆動回路。
【請求項８】
前記第２スイッチング部と前記データ線との間に設置される複数のバッファーを含む出力ステージをさらに備えることを特徴とする請求項７に記載のデータ駆動回路。
【請求項９】
前記デジタル−アナログ変換部は、前記データに対応して所定電流のデータ信号を生成することを特徴とする請求項１に記載のデータ駆動回路。
【請求項１０】
前記第２スイッチング部と前記データ線との間に設置され、前記所定電流のデータ信号に対応して電圧を充電し、充電された電圧に対応して前記データ線を介して電流の供給を受ける複数のサンプル／ホールド回路を備える出力ステージをさらに備えることを特徴とする請求項９に記載のデータ駆動回路。
【請求項１１】
前記デジタル−アナログ変換部は、前記データに対応して、前記第２スイッチング部及びデータ線を介して所定電流の供給を受けることを特徴とする請求項１に記載のデータ駆動回路。
【請求項１２】
サンプリング信号を順次生成するためのシフトレジスタ部と、
前記サンプリング信号に応答して前記データを保存し、保存されたデータを前記ホルディングラッチ部に供給するためのサンプリングラッチ部と、をさらに備えることを特徴とする請求項１に記載のデータ駆動回路。
【請求項１３】
前記ホルディングラッチ部に保存されたデータの電圧レベルを上昇させるためのレベルシフタ部をさらに備えることを特徴とする請求項１に記載のデータ駆動回路。
【請求項１４】
走査線を駆動するための走査駆動部と、
データ線を駆動するためのデータ駆動部と、
前記走査線及び前記データ線と接続されるように位置される複数の画素を含む画素部と、を具備し、
前記データ駆動部は、
データを保存するために複数のホルディングラッチを備えるホルディングラッチ部と、
前記データの供給を受けてデータ信号を生成するための複数のデジタル−アナログ変換部を備える信号生成部と、
前記ホルディングラッチ部と前記信号生成部との間に設置される第１スイッチング部と、
前記信号生成部に接続されて前記データ信号を前記データ線に伝達するための第２スイッチング部と、を具備し、
前記第１スイッチング部は、現フレームの間、前記それぞれのホルディングラッチと前記それぞれのデジタル−アナログ変換部とを直前フレームと異なるように接続させることを特徴とする発光表示装置。
【請求項１５】
前記第２スイッチング部は、ｉ（ｉは自然数）番目ホルディングラッチに保存されたデータによって生成されたデータ信号をｉ番目データ線に伝達することを特徴とする請求項１４に記載の発光表示装置。
【請求項１６】
複数のデジタル−アナログ変換部を利用して複数のデータ信号を生成する段階と、
前記データ信号をデータ線を介して画素に供給する段階と、
前記データ信号に対応して前記画素で所定の光が生成される段階と、を含み、
現フレームで特定のデータ線にデータ信号を供給するデジタル−アナログ変換部は、直前フレームで前記特定のデータ線にデータ信号を供給するデジタル−アナログ変換部と異なるように設定されることを特徴とする発光表示装置の駆動方法。
【請求項１７】
前記複数のデータ信号を生成する段階は、
（ａ）ホルディングラッチにデータを保存する段階と、
（ｂ）前記ホルディングラッチに保存されたデータそれぞれを連続する２つのフレームのうち少なくとも一つのフレームの間シフトさせて前記デジタル−アナログ変換部に供給する段階と、
（ｃ）前記データを利用して前記データ信号を生成する段階と、
（ｄ）前記データ信号を前記２つのフレームのうち少なくとも一つのフレームの間シフトさせて前記データ線に供給する段階と、
を含むことを特徴とする請求項１６に記載の発光表示装置の駆動方法。
【請求項１８】
前記（ｂ）段階では、
前記直前フレームの間、前記データを第１方向にシフトさせ、
前記現フレームの間、前記データをシフトさせないことを特徴とする請求項１７に記載の発光表示装置の駆動方法。
【請求項１９】
前記（ｂ）段階では、
前記直前フレームの間、前記データのうち一部のデータを第１方向にシフトさせ、残りのデータを前記第１方向とは逆の第２方向にシフトさせ、
前記現フレームの間、前記データをシフトさせないことを特徴とする請求項１７に記載の発光表示装置の駆動方法。
【請求項２０】
前記（ｄ）段階では、
ｉ（ｉは自然数）番目ホルディングラッチに保存されたデータによって生成されたデータ信号をｉ番目データ線に伝達することを特徴とする請求項１７に記載の発光表示装置の駆動方法。
【発明の詳細な説明】
【技術分野】
【０００１】
本発明は、データ駆動回路ならびにこれを利用した発光表示装置及びその駆動方法に関し、特に、均一な映像を表示するようにしたデータ駆動回路ならびにこれを利用した発光表示装置及びその駆動方法に関する。
【背景技術】
【０００２】
近年、陰極線管（Ｃａｔｈｏｄｅ  Ｒａｙ  Ｔｕｂｅ）の短所である重さと体積とを減らすことができる各種平板表示装置が開発されている。平板表示装置には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、及び発光表示装置（Ｏｒｇａｎｉｃ  Ｌｉｇｈｔ  Ｅｍｉｔｔｉｎｇ  Ｄｉｓｐｌａｙ）などがある。
【０００３】
平板表示装置のうち発光表示装置は、電子と正孔との再結合によって光を発生する有機発光ダイオードを利用して映像を表示する。このような、発光表示装置は、速い応答速度を持つと同時に低い消費電力で駆動されるという長所がある。
【０００４】
発光表示装置は、データ線と走査線との交差部に位置される複数の画素を備える。画素は、走査線に走査信号が供給される場合に選択されて、データ線に供給されるデータ信号に対応する電圧を充電する。そして、画素は、充電された電圧に対応する電流を有機発光ダイオードに供給することで所定輝度の光を生成する。この場合、それぞれの画素から放出された所定輝度の光が合わされて画素部で所定の映像が表示される。
【０００５】
このために、発光表示装置は、データ線にデータ信号を供給するためのデータ駆動部と、走査線に走査信号を供給するための走査駆動部とを備える。そして、データ駆動部は所定のチャンネルを持つ少なくとも一つのデータ駆動回路を備える。
【０００６】
図１は、一般的なデータ駆動回路を示す図である。
【０００７】
図１では、説明の便宜性のためにデータ駆動回路がｊ（ｊは自然数）個のチャンネルを持つと仮定する。
【０００８】
図１を参照すれば、一般的なデータ駆動回路はシフトレジスタ部１、サンプリングラッチ部２、ホルディングラッチ部３、信号生成部４、及び出力ステージ５を備える。
【０００９】
シフトレジスタ部１は、外部からソーススタートパルスＳＳＰ及びソースシフトクロックＳＳＣの供給を受ける。ソースシフトクロックＳＳＣ及びソーススタートパルスＳＳＰの供給を受けたシフトレジスタ部１は、ソースシフトクロックＳＳＣの１周期ごとにソーススタートパルスＳＳＰをシフトさせながら順次ｊ個のサンプリング信号を生成する。このために、シフトレジスタ部１は、ｊ個のシフトレジスタ１１ないし１ｊを備える。
【００１０】
サンプリングラッチ部２は、シフトレジスタ部１から順次供給されるサンプリング信号に応答してデータを順次保存する。このために、サンプリングラッチ部２は、ｊ個のデータを保存するためにｊ個のサンプリングラッチ２１ないし２ｊを備える。
【００１１】
ホルディングラッチ部３は、サンプリングラッチ部２からデータの入力を受けて保存する。そして、ホルディングラッチ部３は、自身に保存されたデータを信号生成部４に供給する。このために、ホルディングラッチ部３は、ｊ個のホルディングラッチ３１ないし３ｊを備える。
【００１２】
信号生成部４は、ホルディングラッチ部３から供給されるデータの入力を受け、入力を受けたデータに対応してｊ個のデータ信号を生成する。このために、信号生成部４は、ｊ個のデジタル−アナログ変換部（Ｄｉｇｉｔａｌ−Ａｎａｌｏｇ  Ｃｏｎｖｅｒｔｅｒ：以下“ＤＡＣ”と称する）４１ないし４ｊを備える。すなわち、信号生成部４は、それぞれのチャンネルごとに位置されるＤＡＣ４１ないし４ｊを利用してｊ個のデータ信号を生成し、生成されたデータ信号を出力ステージ５に供給する。
【００１３】
出力ステージ５は、信号生成部４から供給されるｊ個のデータ信号をｊ本のデータ線Ｄ１ないしＤｊ各々供給する。このようにすると、画素にデータ信号が供給されて所定の映像が表示される。
【００１４】
しかし、このような一般的なデータ駆動回路は、それぞれのチャンネルに位置されるＤＡＣ４１ないし４ｊの偏差によって均一なデータ信号を生成することができないという問題点がある。実際に、ＤＡＣ４１ないし４ｊを製作するとき、工程過程を精緻に制御してもＤＡＣ４１ないし４ｊそれぞれが±３ｍＶ位の偏差を持つようになる。
【００１５】
したがって、ＤＡＣ４１ないし４ｊ各々に同一の階調値を持つデータが入力されても互いに異なる電圧値（または電流値）を持つデータ信号が生成される。このようなＤＡＣ４１ないし４ｊ各々に同一の階調値が入力される場合、互いに異なる電圧値（または電流値）を持つデータ信号が生成されれば、発光表示装置でバラ付きのある画像が表示される。特に、高い偏差を持っているＤＡＣ４１ないし４ｊが互いに隣接して配置されれば、縦縞模様形態のノイズなどが追加発生されるという問題点がある。
【００１６】
一方、上記一般的なデータ駆動回路ならびにこれを利用した発光表示装置及びその駆動方法に関する技術を記載した文献としては、下記特許文献１ないし４がある。
【特許文献１】大韓民国特許出願公開第２００５−００５１８５０号明細書
【特許文献２】大韓民国特許出願公開第２００４−００２１７５３号明細書
【特許文献３】特開２００１−１７５２２８号公報
【特許文献４】特開平８−４４３１３号公報
【発明の開示】
【発明が解決しようとする課題】
【００１７】
したがって、本発明の目的は、均一な映像を表示するようにしたデータ駆動回路ならびにこれを利用した発光表示装置及びその駆動方法を提供することである。
【課題を解決するための手段】
【００１８】
上記目的を果たすために、本発明のデータ駆動回路は、データを保存するために複数のホルディングラッチを備えるホルディングラッチ部と、前記データの供給を受けてデータ信号を生成するための複数のデジタル−アナログ変換部を備える信号生成部と、前記ホルディングラッチ部と前記信号生成部との間に設置される第１スイッチング部と、前記信号生成部に接続されて前記データ信号をデータ線に伝達するための第２スイッチング部と、を具備し、前記第１スイッチング部は、現フレームの間、前記それぞれのホルディングラッチと前記それぞれのデジタル−アナログ変換部とを直前フレームと異なるように接続させる。
【００１９】
好ましくは、前記信号生成部は、前記ホルディングラッチよりも少なくとも一つ多い前記デジタル−アナログ変換部を備える。
【００２０】
前記第１スイッチング部は、直前フレームの間、前記データを第１方向にシフトさせ、前記現フレームの間、前記データをシフトさせない。
【００２１】
前記信号生成部は、前記ホルディングラッチと同数の前記デジタル−アナログ変換部を備える。
【００２２】
前記第１スイッチング部は、直前フレームの間、前記データのうち一部のデータを第１方向にシフトさせ、残りのデータを前記第１方向とは逆の第２方向にシフトさせ、前記現フレームの間、前記データをシフトさせない。
【００２３】
前記第２スイッチング部は、ｉ（ｉは自然数）番目ホルディングラッチに保存されたデータによって生成されたデータ信号をｉ番目データ線に伝達する。
【００２４】
また、本発明の発光表示装置は、走査線を駆動するための走査駆動部と、データ線を駆動するためのデータ駆動部と、前記走査線及び前記データ線と接続されるように位置される複数の画素を含む画素部と、を具備し、前記データ駆動部は、データを保存するために複数のホルディングラッチを備えるホルディングラッチ部と、前記データの供給を受けてデータ信号を生成するための複数のデジタル−アナログ変換部を備える信号生成部と、前記ホルディングラッチ部と前記信号生成部との間に設置される第１スイッチング部と、前記信号生成部に接続されて前記データ信号を前記データ線に伝達するための第２スイッチング部と、を具備し、前記第１スイッチング部は、現フレームの間、前記それぞれのホルディングラッチと前記それぞれのデジタル−アナログ変換部とを直前フレームと異なるように接続させる。
【００２５】
好ましくは、前記第２スイッチング部は、ｉ（ｉは自然数）番目ホルディングラッチに保存されたデータによって生成されたデータ信号をｉ番目データ線に伝達する。
【００２６】
また、本発明の発光表示装置の駆動方法は、複数のデジタル−アナログ変換部を利用して複数のデータ信号を生成する段階と、前記データ信号をデータ線を介して画素に供給する段階と、前記データ信号に対応して前記画素で所定の光が生成される段階と、を含み、現フレームで特定のデータ線にデータ信号を供給するデジタル−アナログ変換部は、直前フレームで前記特定のデータ線にデータ信号を供給するデジタル−アナログ変換部と異なるように設定される。
【００２７】
好ましくは、前記複数のデータ信号を生成する段階は、（ａ）ホルディングラッチにデータを保存する段階と、（ｂ）前記ホルディングラッチに保存されたデータそれぞれを連続する２つのフレームのうち少なくとも一つのフレームの間シフトさせて前記デジタル−アナログ変換部に供給する段階と、（ｃ）前記データを利用して前記データ信号を生成する段階と、（ｄ）前記データ信号を前記２つのフレームのうち少なくとも一つのフレームの間シフトさせて前記データ線に供給する段階と、を含む。
【発明の効果】
【００２８】
上述したように、本発明のデータ駆動回路ならびにこれを利用した発光表示装置及びその駆動方法によれば、直前フレームでのホルディングラッチ部と信号生成部との間の接続と、現フレームでのホルディングラッチ部と信号生成部との間の接続とが異なるように設定されるので、フレームごとにデータ線には直前フレームと異なるＤＡＣで生成されたデータ信号が供給され、これによってＤＡＣの誤差が拡散して均一な画像を表示することができる。
【発明を実施するための最良の形態】
【００２９】
以下、本発明が属する技術分野において通常の知識を有する者が本発明を容易に実施することができる好ましい実施の形態を添付された図２ないし図７を参照して詳しく説明する。
【００３０】
図２は、本発明の第１の実施の形態による発光表示装置を示す図である。
【００３１】
図２を参照すれば、本実施の形態による発光表示装置は、走査線Ｓ１ないしＳｎ及びデータ線Ｄ１ないしＤｍと接続される複数の画素４００を含む画素部３００と、走査線Ｓ１ないしＳｎを駆動するための走査駆動部１００と、データ線Ｄ１ないしＤｍを駆動するためのデータ駆動部２００と、走査駆動部１００及びデータ駆動部２００を制御するためのタイミング制御部５００と、を備える。
【００３２】
タイミング制御部５００は、外部から供給される同期信号に対応してデータ駆動制御信号ＤＣＳ及び走査駆動制御信号ＳＣＳを生成する。タイミング制御部５００から生成されたデータ駆動制御信号ＤＣＳはデータ駆動部２００に供給され、走査駆動制御信号ＳＣＳは走査駆動部１００に供給される。そして、タイミング制御部５００は、外部から供給されるデータＤＡＴＡをデータ駆動部２００に供給する。
【００３３】
走査駆動部１００は、タイミング制御部５００から走査駆動制御信号ＳＣＳの供給を受ける。走査駆動制御信号ＳＣＳの供給を受けた走査駆動部１００は、走査線Ｓ１ないしＳｎに走査信号を順次供給する。すなわち、走査駆動部１００は、走査線Ｓ１ないしＳｎで走査信号を順次供給しながらデータ信号が供給される画素４００を選択する。
【００３４】
データ駆動部２００は、タイミング制御部５００からデータ駆動制御信号ＤＣＳの供給を受ける。データ駆動制御信号ＤＣＳの供給を受けたデータ駆動部２００は、データの階調値に対応してデータ信号として所定の電流または所定の電圧を生成する。ここで、データ信号で所定の電圧が生成される場合、データ駆動部２００はデータ信号を走査信号によって選択された画素４００に供給する。そして、データ信号で所定の電流が生成される場合、データ駆動部２００は走査信号によって選択された画素４００から所定の電流の供給を受ける（Ｃｕｒｒｅｎｔ  Ｓｉｎｋ）。
【００３５】
このために、データ駆動部２００は少なくとも一つのデータ駆動回路６００を備える。データ駆動回路６００の詳細な構成は後述する。
【００３６】
画素部３００は、走査線Ｓ１ないしＳｎとデータ線Ｄ１ないしＤｍとの交差部に形成される画素４００を備える。画素４００それぞれは第１電源ＥＬＶＤＤ及び第２電源ＥＬＶＳＳの供給を受ける。このような画素４００は、データ信号に対応して所定の電圧を充電し、充電された電圧に対応する電流を第１電源ＥＬＶＤＤから有機発光ダイオード（図示せず）を経由して第２電源ＥＬＶＳＳに供給することによって所定輝度の映像を表示する。
【００３７】
図３は、本発明の第１の実施の形態によるデータ駆動回路を示す図である。図３では説明の便宜性のためにデータ駆動回路６００がｊ個のチャンネルを持つと仮定する。
【００３８】
図３を参照すれば、本発明の第１の実施の形態によるデータ駆動回路６００は、シフトレジスタ部６０１、サンプリングラッチ部６０２、ホルディングラッチ部６０３、第１スイッチング部６０４、信号生成部６０５、第２スイッチング部６０６、及び出力ステージ６０７を備える。
【００３９】
シフトレジスタ部６０１は、外部からソーススタートパルスＳＳＰ及びソースシフトクロックＳＳＣの供給を受ける。ソーススタートパルスＳＳＰ及びソースシフトクロックＳＳＣの供給を受けたシフトレジスタ部６０１は、ソースシフトクロックＳＳＣの１周期ごとにソーススタートパルスＳＳＰをシフトさせながら順次ｊ個のサンプリング信号を生成する。このために、シフトレジスタ部６０１はｊ個のシフトレジスタ６０１１ないし６０１ｊを備える。
【００４０】
サンプリングラッチ部６０２は、シフトレジスタ部６０１から順次供給されるサンプリング信号に応答してデータを順次保存する。このために、サンプリングラッチ部６０２は、ｊ個のデータを保存するためにｊ個のサンプリングラッチ６０２１ないし６０２ｊを備える。ここで、サンプリングラッチ６０２１ないし６０２ｊそれぞれは所定ビットのデータを保存できるように保存容量が設定される。
【００４１】
ホルディングラッチ部６０３は、サンプリングラッチ部６０２からデータの入力を受けて保存する。そして、ホルディングラッチ部６０３は、自身に保存されたデータを第１スイッチング部６０４に供給する。このために、ホルディングラッチ部６０３は、ｊ個のホルディングラッチ６０３１ないし６０３ｊを備える。ここで、ホルディングラッチ６０３１ないし６０３ｊそれぞれは所定ビットのデータを保存できるように保存容量が設定される。
【００４２】
第１スイッチング部６０４は、ホルディングラッチ部６０３からデータの供給を受ける。ホルディングラッチ部６０３からデータの供給を受けた第１スイッチング部６０４は、信号生成部６０５にデータを伝達する。この時、第１スイッチング部６０４は、それぞれのホルディングラッチ６０３１ないし６０３ｊをフレームごとに互いに異なるＤＡＣ（デジタル−アナログ変換部）６０５１ないし６０５ｈに接続させる。例えば、第１スイッチング部６０４は、ｋ（ｋは自然数）番目フレームの間、第１ホルディングラッチ６０３１を第１ＤＡＣ６０５１に接続させて、ｋ＋１番目フレームの間、第１ホルディングラッチ６０３１を第２ＤＡＣ６０５２に接続させることができる。
【００４３】
信号生成部６０５は、第１スイッチング部６０４からデータの入力を受けて、入力を受けたデータに対応してデータ信号を生成する。このために、信号生成部６０５は、ｈ（ｈはｊ以上の自然数）個のＤＡＣ６０５１ないし６０５ｈを備える。ここで、信号生成部６０５に含まれるＤＡＣ６０５１ないし６０５ｈは、ｊ個以上に設定される。これについての詳細な説明は後述する。
【００４４】
信号生成部６０５に含まれたＤＡＣ６０５１ないし６０５ｈは、データの階調値に対応して所定の電流または所定の電圧を生成する。所定の電圧データ信号または所定の電流データ信号を生成した信号生成部６０５は、生成されたデータ信号を第２スイッチング部６０６に供給する。
【００４５】
一方、信号生成部６０５から電圧データ信号が生成される場合、出力ステージ６０７は複数のバッファー６０７１ないし６０７ｊを具備し、電流データ信号が生成される場合、出力ステージ６０７は複数のサンプル／ホールド回路６０７１ないし６０７ｊを備える。
【００４６】
第２スイッチング部６０６は、信号生成部６０５からデータ信号の供給を受ける。信号生成部６０５からデータ信号の供給を受けた第２スイッチング部６０６は、それぞれのＤＡＣ６０５１ないし６０５ｈをフレームごとに互いに異なるバッファー６０７１ないし６０７ｊまたは、互いに異なるサンプル／ホールド回路６０７１ないし６０７ｊに接続させる。例えば、第２スイッチング部６０６は、ｋ番目フレームの間、第１バッファー６０７１（または第１サンプル／ホールド回路）を第１ＤＡＣ６０５１に接続させて、ｋ＋１番目フレームの間、第１バッファー６０７１（または第１サンプル／ホールド回路）を第２ＤＡＣ６０５２に接続させることができる。
【００４７】
実際に、第２スイッチング部６０６は、ｉ（ｉは自然数）番目ホルディングラッチに保存されたデータによって生成されたデータ信号がｉ番目バッファー（またはｉ番目サンプル／ホールド回路）に供給されうるように信号生成部６０５と出力ステージ６０７との間の接続を制御する。
【００４８】
出力ステージ６０７は、第２スイッチング部６０６からｊ個のデータ信号の供給を受ける。第２スイッチング部６０６に電流データ信号が供給される時、出力ステージ６０７それぞれに設置されるサンプル／ホールド回路６０７１ないし６０７ｊは、自身に供給される電流データ信号に対応する電圧を充電する。そして、サンプル／ホールド回路６０７１ないし６０７ｊは、充電された電圧に対応してデータ線Ｄ１ないしＤｊを経由して画素４００から所定の電流の供給を受ける（Ｃｕｒｒｅｎｔ  Ｓｉｎｋ）。一方、第２スイッチング部６０６から電圧データ信号が供給される場合、電圧データ信号それぞれはバッファー６０７１ないし６０７ｊを経由してデータ線Ｄ１ないしＤｊに供給される。
【００４９】
図４ａないし図４ｃは、第１スイッチング部及び第２スイッチング部の動作過程の実施の形態を示す図である。ここで、信号生成部６０５にはチャンネル数より２個多いＤＡＣ６０５０ないし６０５ｊ＋１が含まれると仮定する。すなわち、データ駆動回路６００が１００個のデータ線と接続されれば信号生成部６０５には１０２個のＤＡＣが含まれる。
【００５０】
図４ａないし図４ｃを参照すれば、まず、ｋ番目フレームの間、第１スイッチング部６０４は、それぞれのホルディングラッチ６０３１ないし６０３ｊに保存されたデータを一チャンネルずつ左（第１または第２方向）にシフトさせてＤＡＣ６０５０ないし６０５ｊ−１に供給する。このようにすると、ＤＡＣ６０５０ないし６０５ｊ−１は、自身に供給されたデータに対応して電流データ信号または電圧データ信号を生成して第２スイッチング部６０６に供給する。この時、第２スイッチング部６０６は、ＤＡＣ６０５０ないし６０５ｊ−１から供給される電流データ信号または電圧データ信号を一チャンネルずつ右にシフトさせて出力ステージ６０７に供給する。すなわち、第２スイッチング部６０６は、ｉ番目ホルディングラッチから供給されたデータによって生成されたデータ信号がｉ番目データ線に供給されうるように信号生成部６０５と出力ステージ６０７との間の接続を制御する。
【００５１】
ｋ＋１番目フレームの間、第１スイッチング部６０４は、図４ｂのようにそれぞれのホルディングラッチ６０３１ないし６０３ｊに保存されたデータを本来のチャンネルに位置されたＤＡＣ６０５１ないし６０５ｊに供給する。このようにすると、ＤＡＣ６０５１ないし６０５ｊは、自身に供給されたデータに対応して電流データ信号または電圧データ信号を生成して第２スイッチング部６０６に供給する。この時、第２スイッチング部６０６は、ＤＡＣ６０５１ないし６０５ｊから出力されたデータ信号をシフトさせないで出力ステージ６０７に供給する。
【００５２】
ｋ＋２番目フレームの間、第１スイッチング部６０４は、図４ｃのようにそれぞれのホルディングラッチ６０３１ないし６０３ｊに保存されたデータを一チャンネルずつ右にシフトさせてＤＡＣ６０５２ないし６０５ｊ＋１に供給する。このようにすると、ＤＡＣ６０５２ないし６０５ｊ＋１は、自身に供給されたデータに対応して電流データ信号または電圧データ信号を生成して第２スイッチング部６０６に供給する。この時、第２スイッチング部６０６は、ＤＡＣ６０５２ないし６０５ｊ＋１から供給される電流データ信号または電圧データ信号を一チャンネルずつ左にシフトさせて出力ステージ６０７に供給する。
【００５３】
上述したように本発明のデータ駆動回路６００は、ｋ番目フレームの間、特定のホルディングラッチと接続されるＤＡＣと、ｋ＋１番目フレームの間、特定のホルディングラッチと接続されるＤＡＣとを異なるように設定する。したがって、フレームごとにデータ線Ｄ１ないしＤｊそれぞれには直前フレーム（以前フレーム）と異なるＤＡＣから生成されたデータ信号が供給される。このようにフレームごとにデータ線Ｄ１ないしＤｊ各々に直前フレームと異なるＤＡＣから生成されたデータ信号が供給されれば、画素部３００で均一な画像を表示することができる。
【００５４】
つまり、所定の偏差を持つＤＡＣから生成されたデータ信号をフレームごとに互いに異なるデータ線Ｄ１ないしＤｊに供給すれば、エラーが拡散（Ｅｒｒｏｒ  Ｄｉｆｆｕｓｉｏｎ）されて均一な画像を表示することができる。一方、本発明においてスイッチング部６０４，６０６の接続過程は、図４ａないし図４ｃに示された内容に限定されず、フレームごとにデータ線Ｄ１ないしＤｊ各々に直前フレームと異なるＤＡＣから生成されたデータ信号が供給されうるように多様に設定することができる。
【００５５】
図５ａないし図５ｃは、第１スイッチング部及び第２スイッチング部の動作過程の変形例を示す図である。ここで、信号生成部６０５にはチャンネル数と同一のＤＡＣ６０５１ないし６０５ｊが含まれると仮定する。
【００５６】
図５ａないし図５ｃを参照すれば、ｋ番目フレームの間、第１スイッチング部６０４は、一部のホルディングラッチ６０３１，…，６０３ｊ−２に保存されたデータを二チャンネルずつ右にシフトさせて、残りのホルディングラッチ６０３２，６０３３，…，６０３ｊ−１，６０３ｊに保存されたデータを一チャンネルずつ左にシフトさせ、ＤＡＣ６０５１ないし６０５ｊに供給する。すなわち、隣接する３個のホルディングラッチに保存されたデータを一組として、この組内で３つのデータをシフトさせる。このようにすると、ＤＡＣ６０５１ないし６０５ｊは、自身に供給されたデータに対応して電流データ信号または電圧データ信号を生成して第２スイッチング部６０６に供給する。この時、第２スイッチング部６０６は、ＤＡＣ６０５１ないし６０５ｊに供給される電流データ信号または電圧データ信号のうち一部のデータ信号を二チャンネルずつ左にシフトさせて、残りのデータ信号を一チャンネルずつ右にシフトさせて出力ステージ６０７に供給する。すなわち、第２スイッチング部６０６は、ｉ番目ホルディングラッチから供給されたデータによって生成されたデータ信号がｉ番目データ線に供給されうるように信号生成部６０５と出力ステージ６０７との間の接続を制御する。
【００５７】
ｋ＋１番目フレームの間、第１スイッチング部６０４は、図５ｂのようにそれぞれのホルディングラッチ６０３１ないし６０３ｊに保存されたデータを本来のチャンネルに位置されたＤＡＣ６０５１ないし６０５ｊに（シフトさせずに）供給する。このようにすると、ＤＡＣ６０５１ないし６０５ｊは、自身に供給されたデータに対応して電流データ信号または電圧データ信号を生成して第２スイッチング部６０６に供給する。この時、第２スイッチング部６０６は、ＤＡＣ６０５１ないし６０５ｊから供給されたデータ信号をシフトさせないで出力ステージ６０７に供給する。
【００５８】
ｋ＋２番目フレームの間、第１スイッチング部６０４は、図５ｃのように一部のホルディングラッチ６０３３，…，６０３ｊに保存されたデータを二つのチャンネルずつ左にシフトさせて、残りのホルディングラッチ６０３１，６０３２，…，６０３ｊ−２，６０３ｊ−１に保存されたデータを一チャンネルずつ右にシフトさせてＤＡＣ６０５１ないし６０５ｊに供給する。このようにすると、ＤＡＣ６０５１ないし６０５ｊは、自身に供給されたデータに対応して電流データ信号または電圧データ信号を生成して第２スイッチング部６０６に供給する。この時、第２スイッチング部６０６は、ＤＡＣ６０５１ないし６０５ｊに供給される電流データ信号または電圧データ信号のうち一部のデータ信号を二チャンネルずつ右にシフトさせて、残りのデータ信号を一チャンネルずつ左にシフトさせて出力ステージ６０７に供給する。
【００５９】
上述したように本発明のデータ駆動回路６００は、ｋ番目フレームの間のホルディングラッチ部６０３と信号生成部６０５との接続と、ｋ＋１番目フレームの間のホルディングラッチ部６０３と信号生成部６０５との接続とを異なるように設定する。したがって、フレームごとにデータ線Ｄ１ないしＤｊそれぞれには直前フレームと異なるＤＡＣから生成されたデータ信号が供給される。このようにフレームごとにデータ線Ｄ１ないしＤｊ各々に直前フレームと異なるＤＡＣから生成されたデータ信号が供給されれば、画素部３００で均一な画像を表示することができる。
【００６０】
つまり、所定の偏差を持つＤＡＣから生成されたデータ信号をフレームごとに互いに異なるデータ線Ｄ１ないしＤｊに供給すれば、エラーが拡散（Ｅｒｒｏｒ  Ｄｉｆｆｕｓｉｏｎ）されて均一な画像を表示することができる。一方、本発明においてスイッチング部６０４，６０６の接続は、図５ａないし図５ｃに示された内容に限定されず、フレームごとにデータ線Ｄ１ないしＤｊ各々に直前フレームと異なるＤＡＣから生成されたデータ信号が供給されうるように多様に設定することができる。
【００６１】
図６は、本発明の第２の実施の形態によるデータ駆動回路を示す図である。図６において図３と同じ構成要素には、同じ参照符号を付けるとともに詳細な説明は省略する。
【００６２】
図６を参照すれば、本実施の形態によるデータ駆動回路６００において、信号生成部６０９は第１スイッチング部６０４から供給されるデータに対応して電流データ信号を生成する。このために、信号生成部６０９は複数のＤＡＣ６０９１ないし６０９ｈを備える。電流データ信号を生成したＤＡＣ６０９１ないし６０９ｈは、第２スイッチング部６０６及びデータ線Ｄ１ないしＤｊを経由して画素４００から電流の供給を受ける（Ｃｕｒｒｅｎｔ  Ｓｉｎｋ）。このようにすると、画素４００それぞれはデータ駆動回路６００に供給される電流に対応して所定輝度の光を生成する。
【００６３】
このような本発明の第２の実施の形態は、信号生成部６０９に含まれたＤＡＣ６０９１ないし６０９ｈそれぞれが第２スイッチング部６０６及びデータ線Ｄ１ないしＤｊを介して画素４００から電流の供給を受けることを除き、残りの構成は本発明の第１実施例と同様である。すなわち、第１スイッチング部６０４及び第２スイッチング部６０６の動作過程は、図４ａないし図５ｃに示されたところと同様である。ただし、本発明の第２の実施の形態では出力ステージ６０７が省略され、第２スイッチング部６０６がデータ線Ｄ１ないしＤｊと直接接続される。
【００６４】
図７は、本発明の第３の実施の形態によるデータ駆動回路を示す図である。図７において図３と同じ構成要素には、同じ参照符号を付けるとともに詳細な説明は省略する。
【００６５】
図７を参照すれば、本実施の形態によるデータ駆動回路６００は、ホルディングラッチ部６０３と接続されるように設置されるレベルシフタ部６１０をさらに備える。レベルシフタ部６１０は、ホルディングラッチ部６０３から供給されるデータの電圧レベルを上昇させて第１スイッチング部６０４に供給する。
【００６６】
外部システムからデータ駆動回路６００に高い電圧レベルを持つデータが供給されれば、発光表示装置に高い電圧レベルに対応する回路部品が設置されなければならないので、製造コストが増加される。したがって、データ駆動回路６００の外部では低い電圧レベルを持つデータを供給し、この低い電圧レベルを持つデータをレベルシフタ部６１０で高い電圧レベルに昇圧させる。このようにすると、発光表示装置に低い電圧レベルに対応する回路部品が設置されることができ、これによって製造コストを低減することができる。
【００６７】
以上、添付した図面を参照して本発明について詳細に説明したが、これは例示的なものに過ぎず、当該技術分野における通常の知識を有する者であれば、多様な変形及び均等な他の実施の形態が可能であるということを理解することができる。
【図面の簡単な説明】
【００６８】
【図１】一般的なデータ駆動回路を示す図である。
【図２】本発明の第１の実施の形態による発光表示装置を示す図である。
【図３】本発明の第１の実施の形態におけるデータ駆動回路を示す図である。
【図４ａ】図３に示す第１スイッチング部及び第２スイッチング部の動作過程を示す図である。
【図４ｂ】図３に示す第１スイッチング部及び第２スイッチング部の動作過程を示す図である。
【図４ｃ】図３に示す第１スイッチング部及び第２スイッチング部の動作過程を示す図である。
【図５ａ】図３に示す第１スイッチング部及び第２スイッチング部の動作過程の変形例を示す図である。
【図５ｂ】図３に示す第１スイッチング部及び第２スイッチング部の動作過程の変形例を示す図である。
【図５ｃ】図３に示す第１スイッチング部及び第２スイッチング部の動作過程の変形例を示す図である。
【図６】本発明の第２の実施の形態におけるデータ駆動回路を示す図である。
【図７】本発明の第３の実施の形態におけるデータ駆動回路を示す図である。
【符号の説明】
【００６９】
１００    走査駆動部、
２００    データ駆動部、
３００    画素部、
４００    画素、
５００    タイミング制御部、
６００    データ駆動回路、
６０１    シフトレジスタ部、
６０２    サンプリングラッチ部、
６０３    ホルディングラッチ部、
６０４，６０６    スイッチング部、
６０５，６０９    信号生成部、
６０７    出力ステージ、
６１０    レベルシフタ部。
【図１】
2007122012.tif 000003
【図２】
2007122012.tif 000004
【図３】
2007122012.tif 000005
【図４ａ】
2007122012.tif 000006
【図４ｂ】
2007122012.tif 000007
【図４ｃ】
2007122012.tif 000008
【図５ａ】
2007122012.tif 000009
【図５ｂ】
2007122012.tif 000010
【図５ｃ】
2007122012.tif 000011
【図６】
2007122012.tif 000012
【図７】
2007122012.tif 000013